(57)【要約】  データダウンリンクのために、又はテレメトリ，トラッキングおよびコマンドのために、人工衛星又は宇宙プラットフォームでオンボードで使用するための二重リフレクタアンテナ（１）が本願に開示されている。前記二重リフレクタアンテナ（１）は、互いに同軸上に配置され、且つ互いの前面に配置された主リフレクタ（１１）及びサブリフレクタ（１２）を備える。さらに、前記二重リフレクタアンテナ（１）は同軸フィーダーをさらに備え、前記同軸フィーダーは前記主リフレクタ（１１）及び前記サブリフレクタ（１２）と同軸上に配置されており、互いに同軸上に配置され、且つ互いから離隔された内側導体（１４）及び外側導体（１３）を含む。前記同軸フィーダーは、前記二重リフレクタアンテナ（１）によって送信されるべきダウンリンク無線信号でフィードされるように設計されており、且つ、フィード孔（１５）を通じて前記ダウンリンク無線信号を放射するように設計され、前記フィード孔（１５）は、前記主リフレクタ（１１）に対して中心に位置し、且つ前記サブリフレクタ（１２）に面している。前記内側導体（１４）は、前記フィード孔（１５）から前記サブリフレクタ（１２）まで軸方向及び外向きに突出し、前記サブリフレクタ（１２）にしっかりと結合されており、それによって、前記サブリフレクタ（１２）を支持している。
2018537922.tif 000002
【特許請求の範囲】
【請求項１】
データダウンリンクのために、又はテレメトリ，トラッキングおよびコマンドのために、人工衛星又は宇宙プラットフォームでオンボードで使用するための二重リフレクタアンテナ（１）であって、互いに同軸上に配置され、且つ互いの前面に配置された主リフレクタ（１１）及びサブリフレクタ（１２）を備え、
前記二重リフレクタアンテナ（１）は同軸フィーダーをさらに備え、前記同軸フィーダーは前記主リフレクタ（１１）及び前記サブリフレクタ（１２）と同軸上に配置され、互いに同軸上に配置され、且つ互いから離隔された内側導体（１４）及び外側導体（１３）を含み、
前記同軸フィーダーは、前記二重リフレクタアンテナ（１）によって送信されるべきダウンリンク無線信号でフィードされるように設計されており、且つ、フィード孔（１５）を通じて前記ダウンリンク無線信号を放射するように設計され、前記フィード孔（１５）は、前記主リフレクタ（１１）に対して中心に位置し、且つ前記サブリフレクタ（１２）に面しており、
前記内側導体（１４）は、前記フィード孔（１５）から前記サブリフレクタ（１２）まで軸方向及び外向きに突出し、前記サブリフレクタ（１２）にしっかりと結合されており、それによって、前記サブリフレクタ（１２）を支持している、二重リフレクタアンテナ（１）。
【請求項２】
前記外側導体（１３）は、内部が中空であり、前記フィード孔（１５）で終端し、
前記内側導体（１４）は第１の部分を含み、前記第１の部分は、前記外側導体（１３）の内部で前記フィード孔（１５）まで軸方向に延在し、且つ前記外側導体（１３）から離隔しており、
空隙が前記外側導体（１３）と前記内側導体（１４）の前記第１の部分との間に存在し、
前記外側導体（１３）、前記内側導体（１４）の前記第１の部分、及び前記空隙は、前記同軸フィーダーを画定し、
前記内側導体（１４）はまた、第２の部分を含み、前記第２の部分は、前記内側導体（１４）の前記第１の部分から延在しており、前記フィード孔（１５）から前記サブリフレクタ（１２）の中心部分まで軸方向及び外向きに突出し、
前記内側導体（１４）の前記第２の部分は、前記サブリフレクタ（１２）の前記中心部分としっかりと且つ電気的に結合され、それによって、前記サブリフレクタ（１２）が前記内側導体（１４）によって支持されており、且つ接地されている、請求項１に記載の二重リフレクタアンテナ（１）。
【請求項３】
前記同軸フィーダーは、円形状の同軸導波管である、請求項１又は２に記載の二重リフレクタアンテナ（１）。
【請求項４】
前記同軸フィーダーは、２つの直交同軸モードでフィードされるように、２つの直交同軸モードの伝播を可能にするように、２つの直交同軸モードを放射するように設計され、前記２つの直交同軸モードは、ＴＥｌｌｘおよびＴＥｌｌｙモードである、請求項３に記載の二重リフレクタアンテナ（１）。
【請求項５】
前記主リフレクタ（１１）及び前記サブリフレクタ（１２）は、前記ダウンリンク無線信号の付与された最小限の波長より小さい距離だけ互いに離隔している、請求項１〜４のいずれか一項に記載の二重リフレクタアンテナ（１）。
【請求項６】
前記主リフレクタ（１１）及び前記サブリフレクタ（１２）は、地球上の表面に対して事前に規定されたデータダウンリンクのカバレッジを提供するように輪郭形成されており、
前記ダウンリンク無線信号は、Ｘバンド又はＫバンド内の周波数を有するデータダウンリンク信号である、請求項１〜５のいずれか一項に記載の二重リフレクタアンテナ（１）。
【請求項７】
前記主リフレクタ（１１）及び前記サブリフレクタ（１２）は、地球上の表面に対して事前に規定されたテレメトリ，トラッキングおよびコマンドのカバレッジを提供するように輪郭形成されており、
前記ダウンリンク無線信号は、Ｘバンド内の周波数を有するテレメトリ，トラッキングおよびコマンドのダウンリンク信号であり、
前記同軸フィーダーは、アップリンク無線信号を前記フィード孔（１５）を通じて受信するように、且つアップリンク無線信号の伝播を可能にするように設計され、前記アップリンク無線信号は、前記二重リフレクタアンテナ（１）によって受信されたテレメトリ，トラッキングおよびコマンドのアップリンク信号であって、Ｘバンド内の周波数を有するテレメトリ，トラッキングおよびコマンドのアップリンク信号である、請求項１〜５のいずれか一項に記載の二重リフレクタアンテナ（１）。
【請求項８】
データダウンリンクのために、及びテレメトリ，トラッキングおよびコマンドのために、人工衛星又は宇宙プラットフォームでオンボードで使用するためのアンテナシステム（２、３、４）であって、前記アンテナシステム（２、３、４）は第１のアンテナ（２１、３１、４１）及び第２のアンテナ（２２、３２、４２）を備え、前記第２のアンテナ（２２、３２、４２）は、前記第１のアンテナ（２１、３１、４１）と同軸上に配置されており、且つ前記第１のアンテナ（２１、３１、４１）の上部に配置されており、
前記第１のアンテナ（２１、３１、４１）は、互いに同軸上に配置され、且つ互いの前面に配置された第１の主リフレクタ（２１１、３１１、４１１）及び第１のサブリフレクタ（２１２、３１２）を備え、
前記第１のアンテナ（２１、３１、４１）は第１の同軸フィーダーをさらに備え、前記第１の同軸フィーダーは前記第１の主リフレクタ（２１１、３１１、４１１）、前記第１のサブリフレクタ（２１２、３１２）、及び前記第２のアンテナ（２２、３２、４２）と同軸上に配置されており、互いに同軸上に配置され、且つ互いから離隔された第１の内側導体（２４、３４）及び外側導体（２３、３３）を含み、
前記第１の同軸フィーダーは、前記第１のアンテナ（２１、３１、４１）によって送信されるべき第１のダウンリンク無線信号でフィードされるように設計されており、且つ、第１のフィード孔（２３２、３３２）を通じて前記第１のダウンリンク無線信号を放射するように設計され、前記第１のフィード孔（２３２、３３２）は、前記第１の主リフレクタ（２１１、３１１、４１１）に対して中心に位置し、且つ前記第１のサブリフレクタ（２１２、３１２）に面しており、
前記第１の内側導体（２４、３４）は、前記第１のフィード孔（２３２、３３２）から前記第１のサブリフレクタ（２１２、３１２）まで同軸上に且つ外向きに突出し、前記第１のサブリフレクタ（２１２、３１２）にしっかりと結合されており、それによって、前記第１のサブリフレクタ（２１２、３１２）を支持しており、
送信ラインは、前記第２のアンテナ（２２、３２、４２）によって送信されるべき第２のダウンリンク無線信号で前記第２のアンテナ（２２、３２、４２）にフィードされるように、前記第１の内側導体（２４、３４）内に設けられる、アンテナシステム。
【請求項９】
前記外側導体（２３、３３）は、内部が中空であり、前記第１のフィード孔（２３２、３３２）で終端し、
前記第１の内側導体（２４、３４）は、内部が中空であり、且つ第１の部分を含み、前記第１の部分は、前記外側導体（２３、３３）の内部で前記第１のフィード孔（２３２、３３２）まで同軸上に延在し、且つ前記外側導体（２３、３３）から離隔しており、
第１の空隙が前記外側導体（２３、３３）と前記第１の内側導体（２４、３４）の前記第１の部分との間に存在し、
前記外側導体（２３、３３）、前記第１の内側導体（２４、３４）の前記第１の部分、及び前記第１の空隙は、前記第１の同軸フィーダーを画定し、
前記第１の内側導体（２４、３４）はまた、第２の部分を含み、前記第２の部分は、前記第１の内側導体（２４、３４）の前記第１の部分から延在しており、前記第１のフィード孔（２３２、３３２）から前記第１のサブリフレクタ（２１２、３１２）の中心部分まで同軸上に且つ外向きに突出し、
前記第１の内側導体（２４、３４）の前記第２の部分は、前記第１のサブリフレクタ（２１２、３１２）の前記中心部分としっかりと且つ電気的に結合され、それによって、前記第１のサブリフレクタ（２１２、３１２）が前記第１の内側導体（２４、３４）によって支持されており、且つ接地されており、
前記第２のアンテナ（２２、３２、４２）は、前記第１のサブリフレクタ（２１２、３１２）の上部に配置されており、
前記送信ラインは、前記第２のダウンリンク無線信号で前記第２のアンテナ（２２、３２、４２）にフィードされるように、前記第１の内側導体（２４、３４）の内部で、且つ前記第１のサブリフレクタ（２１２、３１２）に亘って前記第２のアンテナ（２２、３２、４２）まで延在する、請求項８に記載のアンテナシステム。
【請求項１０】
前記第２のアンテナは、以下のアンテナ：二重リフレクタアンテナ（２２、３２）、らせんアンテナ（４２）、ピッチアンテナ、及び導波管窓型送信アンテナのうちの１つである、請求項８又は９に記載のアンテナシステム。
【請求項１１】
前記送信ラインは、以下の送信ライン：円形状の同軸導波管、方形状の同軸導波管、区形状の同軸導波管、同軸ケーブル、円形状の導波管、方形状の導波管、及び区形状の導波管のうちの１つである、請求項８〜１０のいずれか一項に記載のアンテナシステム。
【請求項１２】
前記第１のアンテナ（２１、３１、４１）及び前記第２のアンテナ（２２、３２、４２）は、データダウンリンクのために、Ｘバンド又はＫバンドで一方を動作するように、且つテレメトリ，トラッキングおよびコマンドのために、Ｓバンド又はＸバンドで他方を動作するように設計される、請求項８〜１１のいずれか一項に記載のアンテナシステム。
【請求項１３】
前記第１のアンテナ（２１、３１）は、テレメトリ，トラッキングおよびコマンドのために、Ｓバンド又はＸバンドで動作するように設計されており、それによって、前記第１のダウンリンク無線信号は、前記Ｘバンド内の周波数を有するテレメトリ，トラッキングおよびコマンドのダウンリンク信号であり、
前記第１の同軸フィーダーは、前記第１のフィード孔（２３２、３３２）を通じてアップリンク無線信号を受信するように、且つアップリンク無線信号の伝播を可能にするように設計されており、前記アップリンク無線信号は、前記第１のアンテナ（２１、３１）によって受信されるテレメトリ，トラッキングおよびコマンドのアップリンク信号であって、前記Ｘバンドの周波数を有するテレメトリ，トラッキングおよびコマンドのアップリンク信号であり、
前記第２のアンテナ（２２、３２）は、データダウンリンクのために、Ｋバンドで動作するように設計されており、それによって、前記第２のダウンリンク無線信号は、前記Ｋバンドの周波数を有するデータダウンリンク信号であり、
前記第２のアンテナ（２２、３２）は、互いに同軸上に配置され、且つ互いの前面に配置された第２の主リフレクタ（２２１、３２１）及び第２のサブリフレクタ（２２２、３２２）を備える第２の二重リフレクタアンテナであり、
前記第２の主リフレクタ（２２１、３２１）は、前記第１のサブリフレクタ（２１２、３１２）の上部に配置されており、
前記第１の主リフレクタ（２１１、３１１）、前記第１のサブリフレクタ（２１２、３１２）、前記第２の主リフレクタ（２２１、３２１）、前記第２のサブリフレクタ（２２２、３２２）、前記第１の同軸フィーダー、及び前記送信ラインは、互いに同軸上に配置される、請求項８〜１２のいずれか一項に記載のアンテナシステム。
【請求項１４】
前記第１の主リフレクタ（２１１、３１１）及び前記第１のサブリフレクタ（２１２、３１２）は、前記第１のダウンリンク無線信号及び前記アップリンク無線信号の第１の付与された最小限の波長より小さい第１の距離だけ互いに離隔しており、
前記第２の主リフレクタ（２２１、３２１）及び前記第２のサブリフレクタ（２２２、３２２）は、前記第２のダウンリンク無線信号の第２の付与された最小限の波長より小さい第２の距離だけ互いに離隔している、請求項１３に記載のアンテナシステム。
【請求項１５】
前記外側導体（２３）は、内部が中空であり、前記第１のフィード孔（２３２）で終端し、
前記第１の内側導体（２４）は、内部が中空であり、第１の部分を含み、前記第１の部分は、前記外側導体（２３）の内部で前記第１のフィード孔（２３２）まで同軸上に延在し、且つ前記外側導体（２３）から離隔されており、
第１の空隙が前記外側導体（２３）と前記第１の内側導体（２４）の前記第１の部分との間に存在し、
前記外側導体（２３）、前記第１の内側導体（２４）の前記第１の部分、及び前記第１の空隙は、前記第１の同軸フィーダーを画定し、
前記第１の内側導体（２４）は第２の部分を含み、
前記第２の部分は、前記第１の内側導体（２４）の第１の部分から延在し、前記第１のフィード孔（２３２）から前記第１のサブリフレクタ（２１２）の中心部分まで同軸上に且つ外向きに突出し、
前記第２の部分は、前記第１のサブリフレクタ（２１２）の前記中心部分にしっかりと且つ電気的に結合され、それによって、前記第１のサブリフレクタ（２１２）が前記第１の内側導体（２４）によって支持されており、且つ接地されており、
前記第２の部分は、前記第１のサブリフレクタ（２１２）に亘って前記第２の主リフレクタ（２２１）まで延在しており、第２のフィード孔（２４２）で終端し、前記第２のフィード孔（２４２）は前記第２の主リフレクタ（２２１）に対して中心に位置し、且つ前記第２のサブリフレクタ（２２２）に面しており、
前記アンテナシステム（２）は第２の内側導体（２５）をさらに備え、前記第２の内側導体（２５）は第１の部分を含み、前記第１の部分は、前記第１の内側導体（２４）の内部で前記第２のフィード孔（２４２）まで軸方向に延在しており、且つ前記第１の内側導体（２４）から離隔されており、
第２の空隙が前記第１の内側導体（２４）と前記第２の内側導体（２５）の前記第１の部分との間に存在し、
前記第１の内側導体（２４）、前記第２の内側導体（２５）の前記第１の部分、及び前記第２の空隙は、前記送信ラインを画定し、それによって、前記送信ラインは、第２の同軸フィーダーであり、
前記第２の内側導体（２５）は第２の部分を含み、
前記第２の部分は、前記第２の内側導体（２５）の前記第１の部分から延在し、前記第１のフィード孔（２４２）から前記第２のサブリフレクタ（２２２）の中心部分まで軸方向に且つ外向きに突出し、
前記第２の部分は、前記第２のサブリフレクタ（２２２）の前記中心部分にしっかりと且つ電気的に結合され、それによって、前記第２のサブリフレクタ（２２２）が前記第２の内側導体（２５）によって支持されており、且つ接地されている、請求項１３又は１４に記載のアンテナシステム。
【請求項１６】
前記第１の同軸フィーダー及び前記第２の同軸フィーダーは、円形状の同軸導波管であり、前記第２の同軸フィーダーは、２つの直交同軸モードでフィードされるように、２つの直交同軸モードの伝播を可能にするように、且つ２つの直交同軸モードを放射するように設計され、前記２つの直交同軸モードは、ＴＥｌｌｘおよびＴＥｌｌｙモードである、請求項１５に記載のアンテナシステム。
【請求項１７】
前記外側導体（３３）は、内部が中空であり、前記第１のフィード孔（３３２）で終端し、
前記第１の内側導体（３４）は、内部が中空であり、第１の部分を含み、前記第１の部分は、前記外側導体（３３）の内部で前記第１のフィード孔（３３２）まで同軸上に延在し、且つ前記外側導体（２３）から離隔されており、
第１の空隙が前記外側導体（３３）と前記第１の内側導体（３４）の前記第１の部分との間に存在し、
前記外側導体（３３）、前記第１の内側導体（３４）の前記第１の部分、及び前記第１の空隙は、前記第１の同軸フィーダーを画定し、
前記第１の内側導体（３４）は第２の部分を含み、
前記第２の部分は、前記第１の内側導体（３４）の第１の部分から延在し、前記第１のフィード孔（３３２）から前記第１のサブリフレクタ（３１２）の中心部分まで同軸上に且つ外向きに突出し、
前記第２の部分は段差移行部分（３４２）で終端し、前記段差移行部分（３４２）は前記第１のサブリフレクタ（３１２）の前記中心部分にしっかりと且つ電気的に結合され、それによって、前記第１のサブリフレクタ（３１２）が前記第１の内側導体（３４）によって支持されており、且つ接地されており、
前記アンテナシステム（２）は誘電体構造をさらに備え、前記誘電体構造は、
前記第１の内側導体（３４）の前記段差移行部分（３４２）から前記第１のサブリフレクタ（３１２）に亘って前記第２の主リフレクタ（３２１）まで軸方向に延在している第１の部分（３５１）と、
前記誘電体構造の前記第１の部分（３５１）から延在する第２の部分（３５２）であって、前記第２の主リフレクタ（３２１）から前記第２のサブリフレクタ（３２２）まで同軸上に且つ外向きに突出する第２の部分（３５２）と、
を含み、前記誘電体構造の前記第２の部分（３５２）は、前記第２のサブリフレクタ（３２２）にしっかりと結合され、それによって、前記第２のサブリフレクタ（３２２）を支持しており、
前記第１の内側導体（３４）及び前記誘電体構造は、前記送信ラインを画定する、請求項１３又は１４に記載のアンテナシステム。
【請求項１８】
前記誘電体構造の前記第２の部分（３５２）はコーン形状であり、
前記第２のサブリフレクタ（３２２）は、前記誘電体構造の前記コーン形状の第２の部分（３５２）の上部に配置された且つ前記誘電体構造の前記コーン形状の第２の部分（３５２）によって支持されたスパッタ型金属製サブリフレクタである、請求項１７に記載のアンテナシステム。
【請求項１９】
前記第２のサブリフレクタ（３２２）は、スパッタ型アルミニウム製サブリフレクタである、請求項１８に記載のアンテナシステム。
【請求項２０】
前記第１の同軸フィーダーは円形状の同軸導波管であり、
前記送信ラインは、２つの直交同軸モードでフィードされるように、２つの直交同軸モードの伝播を可能にするように、２つの直交同軸モードを放射するように設計され、前記２つの直交同軸モードは、ＴＥｌｌｘおよびＴＥｌｌｙモードである、請求項１７〜１９のいずれか一項に記載のアンテナシステム。
【請求項２１】
前記第１のアンテナ（４１）は、データダウンリンクのためにＸバンドで動作するように設計されており、前記第２のアンテナは、テレメトリ，トラッキングおよびコマンドのためにＳバンド又はＸバンドで動作するように設計されたらせんアンテナ（４２）であり、前記送信ラインは同軸ケーブルである、請求項８〜１２のいずれか一項に記載のアンテナシステム。
【請求項２２】
前記第１のアンテナ（４１）は、データダウンリンクのためにＸバンドで動作するように設計されており、前記第２のアンテナは、テレメトリ，トラッキングおよびコマンドのためにＳバンド又はＸバンドで動作するように設計されたピッチアンテナである、請求項８〜１２のいずれか一項に記載のアンテナシステム。
【請求項２３】
前記第１のアンテナ（４１）は、データダウンリンクのためにＸバンドで動作するように設計されており、前記第２のアンテナは、テレメトリ，トラッキングおよびコマンドのためにＸバンドで動作するように設計された導波管窓型送信アンテナである、請求項８〜１２のいずれか一項に記載のアンテナシステム。
【請求項２４】
請求項１〜７のいずれか一項に記載の二重リフレクタアンテナ（１）又は請求項８〜２３のいずれか一項に記載のアンテナシステム（２、３、４）を備える人工衛星。
【請求項２５】
請求項１〜７のいずれか一項に記載の二重リフレクタアンテナ（１）又は請求項８〜２３のいずれか一項に記載のアンテナシステム（２、３、４）を備える宇宙プラットフォーム。
【発明の詳細な説明】
【技術分野】
【０００１】
本発明は一般的に、データダウンリンク（ＤＤＬ）のために、及び／又は、テレメトリ，トラッキングおよびコマンド（ＴＴ＆Ｃ）のために、人工衛星又は宇宙プラットフォームでオンボードで使用するための二重リフレクタアンテナ及びそれに関連するアンテナシステムに関する。
【０００２】
特に、本発明は、ハイスループットデータダウンリンクのために、又は、テレメトリ，トラッキングおよびコマンドのために、地球周回低軌道（ＬＥＯ）の人工衛星でオンボードで使用するための二重リフレクタアンテナ、及び、データダウンリンク及びテレメトリ，トラッキングおよびコマンドの両方のための一体型アンテナシステムに関する。
【背景技術】
【０００３】
一般的に、地球周回低軌道（ＬＥＯ）の人工衛星は、およそ４００ｋｍから８００ｋｍの間で変化する地球からの高さで周回しており、合成開口レーダ（ＳＡＲｓ）及び／又は光学機器などの地球観測システムを搭載している。これらの人工衛星は、無線アンテナによって、遠隔的に検知されたデータを地上局に送信するように構成される。オンボードの地球観測システムによって遠隔的に検知されたデータの、地球周回低軌道の人工衛星から地上局への送信は一般的に、データダウンリンク（ＤＤＬ）として言及されており、この機能のために使用されたアンテナは一般的に、データダウンリンク用アンテナとして周知である。
【０００４】
さらに、テレメトリ，トラッキングおよびコマンド（ＴＴ＆Ｃ）用地上局と一般的に称される特別な地上局は、地球周回低軌道（ＬＥＯ）の人工衛星の動作を監視し且つ制御するために使用される。一般的な用語において、テレメトリ，トラッキングおよびコマンド（ＴＴ＆Ｃ）用地上局は、その動作を監視するために地球周回低軌道の人工衛星からテレメトリデータを受信し、その動作を制御するために地球周回低軌道の人工衛星へコマンド、及び前記人工衛星を追跡するために測距信号を送信する。それ故に、地球周回低軌道の人工衛星はまた、テレメトリ，トラッキングおよびコマンドのデータ交換のために、テレメトリ，トラッキングおよびコマンド用アンテナを搭載する必要がある。
【０００５】
周知であるように、現在の地球周回低軌道の人工衛星はそれぞれ、データダウンリンクのために、及びテレメトリ，トラッキングおよびコマンドのために、２つの別個のアンテナを搭載している。この事実は、データダウンリンク用アンテナ及びテレメトリ，トラッキングおよびコマンド用アンテナの両方が非常に広い視野を必要とするので、大きなアンテナ及び／又は付属品（ソーラーアレイ、ブーム、支持部、器具等）が装着された地球周回低軌道の人工衛星におけるオンボードでの設置問題を引き起こす。
【０００６】
現在、地球観測のための全ての欧州の地球周回低軌道の人工衛星は、テレメトリ，トラッキングおよびコマンドのためにＳバンド及びＸバンドをほとんど独占的に使用する（広く知られているように、Ｓバンドは、２〜４ＧＨｚの範囲の周波数を含む電磁スペクトルのマイクロ波部分として定義されるのに対して、Ｘバンドはおよそ７〜１２ＧＨｚの範囲の周波数を含む電磁スペクトルのマイクロ波部として定義される）。しかしながら、それらのバンドは、その莫大な使用に起因してますます密集した状態になっている。この理由のために、Ｋバンドの一部（広く知られているように、Ｋバンドは、１８〜２７ＧＨｚの範囲の周波数を含む電磁スペクトルのマイクロ波部分として定義される）は、地球周回低軌道の人工衛星のダウンリンクスループット能力を増加させるために、データダウンリンクのために最近割り当てられた。そのような状況において、データダウンリンクのために割り当てられた新しいＫバンドの一部は、２５．５〜２７ＧＨｚの範囲の周波数を含む。
【０００７】
さらに、新しいＸバンドの周波数割り当ては、地球探査人工衛星サービス（ＥＥＳＳ）に関連して、世界無線通信会議２０１５（ＷＲＣ−１５）において国際電気通信連合（ＩＴＵ）によってテレメトリ，トラッキングおよびコマンドのために提案されており、テレメトリ，トラッキングおよびコマンドのアップリンクのために、７１９０ＭＨｚ〜７２５０ＭＨｚの周波数範囲を含む。この新しいアップリンクの割り当ては、テレメトリ，トラッキングおよびコマンドのダウンリンクのために、８０２５〜８４００ＭＨｚの周波数範囲の地球探査人工衛星サービスによる既存の割り当てと組み合わせて使用されることができる。
【０００８】
周知なように、Ｓバンド又はＸバンドで動作する現在のテレメトリ，トラッキングおよびコマンド用アンテナは通常、らせんタイプのアンテナ又はバイコニカルアンテナ（ｂｉｃｏｎｉｃａｌ  ａｎｔｅｎｎａｓ）に基づいているのに対して、地球周回低軌道の人工衛星からのＸバンドでの固定されたデータダウンリンクのための現在の解決方法は、らせん又は無給電同軸ホーンを主に採用している。この関連で、ワイヤ型アンテナ（つまり、らせん又はワイヤベースの解決方法）が技術的な問題及び制限された電力処理能力に起因して（特に、熱的な問題及びコロナ放電に起因して）、データダウンリンクのために割り当てられた新しいＫバンドの一部に適用することができないことは、注目に値する。さらに、データダウンリンクのための無給電同軸ホーンタイプの解決方法は現在、二重偏波周波数の再利用（つまり、２０ｄＢの交差偏波識別度よりも高い）のための受け入れ可能なレベルを上回る、低いレベルの交差偏波識別度（ｃｒｏｓｓ−ｐｏｌａｒｉｚａｔｉｏｎ  ｄｉｓｃｒｉｍｉｎａｔｉｏｎ）によって、制限される。
【発明の概要】
【発明が解決しようとする課題】
【０００９】
本発明の一般的な目的は、データダウンリンク及び／又はテレメトリ，トラッキングおよびコマンドのために、人工衛星又は宇宙プラットフォームでオンボードで使用する革新的なアンテナ技術を提供することである。
【００１０】
より具体的には、本発明の第１の具体的な目的は、データダウンリンク及び／又はテレメトリ，トラッキングおよびコマンドのために、人工衛星又は宇宙プラットフォームで、特に地球周回低軌道の人工衛星でオンボードで使用するための革新的なアンテナを提供することである。
【００１１】
さらに、本願発明の第２の具体的な目的は、人工衛星又は宇宙プラットフォームでオンボードでの妨害（ｅｎｃｕｍｂｒａｎｃｅ）、特に地球周回低軌道の人工衛星でオンボードでの妨害を制限するように、データダウンリンク用アンテナ及び／又はテレメトリ，トラッキングおよびコマンド用アンテナの両方を一体化している単一のアンテナシステムを提供することである。
【課題を解決するための手段】
【００１２】
それらの目的及び他の目的は、添付した特許請求の範囲に規定されるような二重リフレクタアンテナ及びアンテナシステムに関連する本発明によって達成される。
【００１３】
特に、本発明は、データダウンリンクのために、及びテレメトリ，トラッキングおよびコマンドのために、人工衛星又は宇宙プラットフォームでオンボードで使用するための二重リフレクタアンテナであって、互いに同軸上に配置され、且つ互いの前面に配置された主リフレクタ及びサブリフレクタを備える二重リフレクタアンテナに関する。二重リフレクタアンテナは同軸フィーダーをさらに備え、前記同軸フィーダーは前記主リフレクタ及び前記サブリフレクタと同軸上に配置されており、互いに同軸上に配置され、且つ互いから離隔された内側導体及び外側導体を含む。前記同軸フィーダーは、前記二重リフレクタアンテナによって送信されるべきダウンリンク無線信号でフィードされるように設計されており、且つ、フィード孔を通じて前記ダウンリンク無線信号を放射するように設計され、前記フィード孔は、前記主リフレクタに対して中心に位置し、且つ前記サブリフレクタに面している。前記内側導体は、前記フィード孔から前記サブリフレクタまで軸方向及び外向きに突出し、前記サブリフレクタにしっかりと接続されており、それによって、前記サブリフレクタを支持している。
【００１４】
さらに、本発明は、データダウンリンクのために、及びテレメトリ，トラッキングおよびコマンドのために、人工衛星又は宇宙プラットフォームでオンボードで使用するためのアンテナシステムであって、前記アンテナシステムは第１のアンテナ及び第２のアンテナを備え、前記第２のアンテナは、前記第１のアンテナと同軸上に配置されており、且つ前記第１のアンテナの上部に配置されている。前記第１のアンテナは、互いに同軸上に配置され、且つ互いの前面に配置された第１の主リフレクタ及び第１のサブリフレクタを備える。前記第１のアンテナは第１の同軸フィーダーをさらに備え、前記第１の同軸フィーダーは前記第１の主リフレクタ、前記第１のサブリフレクタ、及び前記第２のアンテナと同軸上に配置されており、互いに同軸上に配置され、且つ互いから離隔された第１の内側導体及び外側導体を含む。前記第１の同軸フィーダーは、前記第１のアンテナによって送信されるべき第１のダウンリンク無線信号でフィードされるように設計されており、且つ、第１のフィード孔を通じて前記ダウンリンク無線信号を放射するように設計され、前記第１のフィード孔は、前記第１の主リフレクタに対して中心に位置し、且つ前記第１のサブリフレクタに面している。前記第１の内側導体は、前記第１のフィード孔から前記第１のサブリフレクタまで同軸上に且つ外向きに突出し、前記第１のサブリフレクタにしっかりと接続されており、それによって、前記第１のサブリフレクタを支持している。送信ラインは、前記第２のアンテナによって送信されるべき第２のダウンリンク無線信号で前記第２のアンテナにフィードするように、前記第１の内側導体内に設けられる。
【００１５】
本発明のより良好な理解のために、限定されない例示として純粋に意図された好ましい実施形態は、添付の図面（縮尺どおりではない）を参照して説明されるだろう。
【図面の簡単な説明】
【００１６】
【図１】本発明の第１の態様の実施形態による、データダウンリンク又はテレメトリ，トラッキングおよびコマンドのために、地球周回低軌道の人工衛星でオンボードで使用するための二重リフレクタアンテナを図示する。
【図２】本発明の第２の態様の第１の好ましい実施形態による、データダウンリンク及びテレメトリ，トラッキングおよびコマンドの両方のために、地球周回低軌道の人工衛星でオンボードで使用するための第１の一体型アンテナシステムを示す。
【図３】本発明の第２の態様の第１の好ましい実施形態による、データダウンリンク及びテレメトリ，トラッキングおよびコマンドの両方のために、地球周回低軌道の人工衛星でオンボードで使用するための第１の一体型アンテナシステムを示す。
【図４】本発明の第２の態様の第１の好ましい実施形態による、データダウンリンク及びテレメトリ，トラッキングおよびコマンドの両方のために、地球周回低軌道の人工衛星でオンボードで使用するための第１の一体型アンテナシステムを示す。
【図５】図２〜４に示された第１の一体型アンテナシステムに関連した放射パターンを示す。
【図６】図２〜４に示された第１の一体型アンテナシステムに関連した放射パターンを示す。
【図７】本発明の第２の態様の第２の好ましい実施形態による、データダウンリンク及びテレメトリ，トラッキングおよびコマンドの両方のために、地球周回低軌道の人工衛星でオンボードで使用するための第２の一体型アンテナシステムを示す。
【図８】本発明の第２の態様の第２の好ましい実施形態による、データダウンリンク及びテレメトリ，トラッキングおよびコマンドの両方のために、地球周回低軌道の人工衛星でオンボードで使用するための第２の一体型アンテナシステムを示す。
【図９】本発明の第２の態様の第３の好ましい実施形態による、データダウンリンク及びテレメトリ，トラッキングおよびコマンドの両方のために、地球周回低軌道の人工衛星でオンボードで使用するための第３の一体型アンテナシステムを示す。
【発明を実施するための形態】
【００１７】
以下の議論は、当業者が本発明を作製し、且つ使用することを可能にするために提示される。特許請求の範囲に記載された本発明の技術的範囲から逸脱することなく、実施形態に対する様々な変更が当業者には容易に明らかであろう。従って、本発明は、図示および説明された実施形態に限定されることを意図するものではなく、本明細書に開示され、添付の特許請求の範囲に規定された原理および特徴と一致する最も広い技術的範囲が与えられるべきである。
【００１８】
本発明の第１の態様は、Ｘバンド又はＫバンドにおけるデータダウンリンクのために、又はＸバンドにおけるテレメトリ，トラッキングおよびコマンドのために、人工衛星及び宇宙プラットフォームでオンボードで、特に地球周回低軌道の人工衛星でオンボードで設置されるように設計された二重リフレクタアンテナに関する。
【００１９】
これに関連して、図１を参照すると、図１は、本発明の前記第１の態様の実施形態による、データダウンリンクのために、又はテレメトリ，トラッキングおよびコマンドのために、地球周回低軌道の人工衛星でオンボードで使用するための二重リフレクタアンテナ（全体として、参照符号１が付与される）の概略的な断面図を示す。
【００２０】
二重リフレクタアンテナ１は、Ｘバンド又はＫバンドで動作するように設計されており、主リフレクタ１１及びサブリフレクタ１２を備える。主リフレクタ１１及びサブリフレクタ１２は、互いに同軸上に配置されており、互いの前面に配置されており、使用時に、地球上の表面に対して事前に規定されたデータダウンリンクのカバレッジ又はテレメトリ，トラッキングおよびコマンドのカバレッジを提供するように形成される（つまり、輪郭形成される）。
【００２１】
好都合には、主リフレクタ１１及びサブリフレクタ１２は、それぞれ対称軸にその中心が配置され、それらの対称軸に関して回転対称を有する。
【００２２】
二重リフレクタアンテナ１は、同軸フィーダーをさらに備える。同軸フィーダーは、主リフレクタ１１及びサブリフレクタ１２と同軸上に配置されており、外側導体１３及び内側導体１４（特に、外側及び内側のマイクロ波導体１３、１４）を含む。
【００２３】
前記外側導体１３は、その内部が中空であり、フィード孔１５で終端する。このフィード孔１５は、主リフレクタ１１に対して中心に位置し、サブリフレクタ１２に面している（つまり、前記サブリフレクタ１２の前面に配置されている）。好都合には、外側導体１３は管形状（又は円筒形状）であり、フィード孔１５は円形状の孔である。
【００２４】
内側導体１４は、外側導体１３の内部で軸方向に延在しており、前記外側導体１３から離隔されている。このような構成において、空隙が前記外側導体１３と前記内側導体１４との間に存在する。さらに、前記内側導体１４は、フィード孔１５からサブリフレクタ１２の中心部分まで軸方向に、外向きに、且つ垂直に突出しており、サブリフレクタ１２の前記中心部分にしっかりと結合され／接続され、それによって、前記サブリフレクタ１２を支持している。
【００２５】
好都合には、内側導体１４は、サブリフレクタ１２にしっかりと且つ電気的に結合された／接続された円筒形状の金属製剛体構造であって、サブリフレクタ１２をしっかりと支持している円筒形状の金属製剛体構造とされてもよい。
【００２６】
好ましくは、同軸フィーダーは、円形状の同軸導波管である。
【００２７】
より好ましくは、同軸フィーダーは、２つの直交同軸モード（ｔｗｏ  ｑｕａｄｒａｔｕｒｅ  ｃｏａｘｉａｌ  ｍｏｄｅｓ）でフィードされるように、２つの直交同軸モードの伝播を可能にするように、且つ、２つの直交同軸モードを放射するように設計された円形状の同軸導波管である。より好ましくは、前記２つの直交同軸モードは、ＴＥｌｌｘおよびＴＥｌｌｙモードである。
【００２８】
二重リフレクタアンテナ１のアーキテクチャは、「軸方向変位型楕円（ＡＤＥ）」との表題の論文（この点に関して、例えば、Ｊ．Ｒ．Ｂｅｒｇｍａｎｎ，氏及びＦ．Ｊ．Ｓ．Ｍｏｒｅｉｒａ氏著の「全方向性の軸方向変位型楕円（ＡＤＥ）型リフレクタアンテナ」、無線及び光学技術レター、ボリューム４０、イシュー３、２００４年２月を参照されてもよい）として周知な解決方法などの、二重反射面光学系に基づく他の周知なアンテナシステムに対して様々な実質的な改良点を有する。
【００２９】
特に、二重リフレクタアンテナ１と従来の軸方向変位型楕円（ＡＤＥ）アンテナとの間の相違点は以下の通りである。
・内側導体１４は、サブリフレクタ１２をしっかりと支持するようにフィード孔１５から軸方向に延ばされ、それ故に、サブリフレクタ１２を支える（ｓｕｓｔａｉｎ）ためのレードーム又は支柱の必要性がない。
・サブリフレクタ１２は、内側導体１４との電気的な接続に起因して接地されており（ｓｅｌｆ−ｇｒｏｕｎｄｅｄ）、それによって、任意の静電放電（ＥＳＤ）問題を避けることができる。
・好都合には、主リフレクタ１１とサブリフレクタ１２との間の距離は好ましくは、１波長より短く、２つの強力な電磁結合アセンブリ（幾何学的光学系に基づかない設計を提供する）に導く。
・好都合には、主リフレクタ１１の反射面及びサブリフレクタ１２の反射面は、変調された表面（波状の表面及び／又は形成された表面）であり、それ故に、軸方向変位型楕円（ＡＤＥ）設計による分析的な表面ではない。
・好ましくは、二重リフレクタアンテナ１の直接的な同軸フィーディングは、差動モード（ＴＥＭまたはＴＭ０１／ＴＥ０１）ではなく、２つの直交同軸モード（すなわち、ＴＥｌｌｘおよびＴＥｌｌｙ）に基づいており、それによって、低い交差偏波レベルを得ることができ、且つアンテナの製造を容易にする。
【００３０】
さらに、本発明の第２の態様は、人工衛星及び宇宙プラットフォームで、特に地球周回低軌道の人工衛星でオンボードで使用するための一体型アンテナシステムに関する。この一体型アンテナシステムは、互いの上部に配置された２つのアンテナを含み、一方のアンテナがデータダウンリンクのためであり、他方のアンテナがテレメトリ，トラッキングおよびコマンドのためである。下部のアンテナが本発明の第１の態様に従って設計された二重リフレクタアンテナである。このような構成において、送信ライン（円形状の同軸導波管、方形状の同軸導波管、区形状の同軸導波管、同軸ケーブル、円形状の導波管、方形状の導波管、又は、区形状の導波管）は、上部アンテナにフィードするために下部の二重リフレクタアンテナの同軸フィーダーの内側導体内に設けられており（つまり、配置されており、又は形成されており）、下部のアンテナ及び上部のアンテナは、非常にコンパクトな構成を得るために同軸上に位置合わせされる。
【００３１】
それ故に、本願発明の第２の態様は、データダウンリンク用アンテナ及びテレメトリ，トラッキングおよびコマンド用アンテナを単一のアンテナシステムに一体化させることを教示する。それによって、地球周回低軌道の人工衛星でオンボードでの両方のアンテナを共同設置することを可能にし、それ故に、地球周回低軌道の人工衛星でのオンボードの空間が他のアンテナ／付属品の存在により強力に制限されるそれらのシナリオにおいて特に有利である解決方法を提供する。
【００３２】
本発明の第２の態様の良好な理解のために、図２、図３、及び図４は、本発明の第２の態様の第１の好ましい実施形態による、データダウンリンク及びテレメトリ，トラッキングおよびコマンドの両方のために、地球周回低軌道の人工衛星でオンボードで使用するための第１の一体型アンテナシステム（全体として、参照符号２で示される）を示す。特に、図２は、第１の一体型アンテナシステム２の概略的な断面図であるのに対して、図３及び図４は、その斜視図及び側面図である。
【００３３】
詳細には、第１の一体型アンテナシステム２は、テレメトリ，トラッキングおよびコマンド用アンテナ２１と、データダウンリンク用アンテナ２２とを含む。このデータダウンリンク用アンテナ２２は、テレメトリ，トラッキングおよびコマンド用アンテナ２１の上部に配置されており、テレメトリ，トラッキングおよびコマンド用アンテナ２１と同軸上に位置合わせされる。
【００３４】
テレメトリ，トラッキングおよびコマンド用アンテナ２１及びデータダウンリンク用アンテナ２２は、それぞれＸバンド及びＫバンドで動作するように設計された二重リフレクタアンテナである。
【００３５】
特に、テレメトリ，トラッキングおよびコマンド用アンテナ２１は、第１の主リフレクタ２１１と第１のサブリフレクタ２１２とを備え、これらのリフレクタ２１１、２１２は、互いに同軸上に配置されており、且つ互いの前面に配置されており、使用時に、地球上の表面に対して事前に規定されたテレメトリ，トラッキングおよびコマンドのカバレッジを提供するように形成される（つまり、輪郭形成される）。
【００３６】
データダウンリンク用アンテナ２２は、第２の主リフレクタ２２１及び第２のサブリフレクタ２２２を備え、これらのリフレクタ２２１、２２２は、互いに同軸上に配置されており、且つ互いの前面に配置されており、使用時に地球上の表面に対して事前に規定されたデータダウンリンクのカバレッジを提供するように形成される（つまり、輪郭形成される）。
【００３７】
第１の主リフレクタ２１１及び第１のサブリフレクタ２１２並びに第２の主リフレクタ２２１及び第２のサブリフレクタ２２２は、互いに同軸上に配置されており、第２の主リフレクタ２２１は、第１のサブリフレクタ２１２の背面の上部に（第１のサブリフレクタ２１２の上方に）位置する。
【００３８】
好都合には、第１の主リフレクタ２１１及び第１のサブリフレクタ２１２並びに第２の主リフレクタ２２１及び第２のサブリフレクタ２２２は、それぞれ対称軸にその中心が配置され、それらの対称軸に関して回転対称を有する。
【００３９】
好都合には、（上部の）データダウンリンク用アンテナ２２のフットプリントは、第１のサブリフレクタ２１２の寸法を超えず、それによって、テレメトリ，トラッキングおよびコマンドのための広く、遮られない視野を有する（下部の）テレメトリ，トラッキングおよびコマンド用アンテナ２１が生じる。
【００４０】
好都合には、第１のサブリフレクタ２１２は、テレメトリ，トラッキングおよびコマンド用アンテナ２１及びデータダウンリンク用アンテナ２２と同軸上の皿状のインターフェース構造の底部分に形成された第１の反射面として形成されてもよい。また、第２の主リフレクタ２２１は、前記皿状のインターフェース構造の上部分に形成された第２の反射面として形成されてもよい。これらの構造において、前記上部分は、皿状のインターフェース構造の底部分に又は底部分の上に位置し、前記皿状のインターフェース構造の上部分及び底部分はそれぞれ、第２のサブリフレクタ２２２及び第１の主リフレクタ２１１に面する（第２のサブリフレクタ２２２及び第１の主リフレクタ２１１の前面に位置する）。
【００４１】
好ましくは、第１の主リフレクタ２１１は、７．１９〜８．４ＧＨｚの拡大されたＩＴＵ周波数スペクトルに亘って、Ｘバンドにおけるテレメトリ，トラッキングおよびコマンド用アンテナパターン（９５°の半角までの）のために輪郭形成されるのに対して、地球から６００キロメートルの軌道を周回している人工衛星にとって一般的である、±６３°の視野角内で低交差偏波でのＫバンドにおけるデータダウンリンク用のワイドカバレッジのイソフラックスパターン（ｉｓｏｆｌｕｘ  ｐａｔｔｅｒｎ）を提供するように設計される。
【００４２】
第１の一体型アンテナシステム２は、外側導体２３と、中間導体２４、及び内側導体２５（特に、外側、中間、及び内側のマイクロ波導体２３、２４、２５）をさらに備える。
【００４３】
外側導体２３は、内部が中空であり、テレメトリ，トラッキングおよびコマンド用入力／出力ポート２３１を通じて、テレメトリ，トラッキングおよびコマンド用アンテナ２１によって送信されるべきＸバンドにおけるテレメトリ，トラッキングおよびコマンドのダウンリンク信号で内部にフィードされるように、テレメトリ，トラッキングおよびコマンド用フィード孔２３２で終端するように設計される。テレメトリ，トラッキングおよびコマンド用フィード孔２３２は、第１の主リフレクタ２１１に対して中心に位置し、第１のサブリフレクタ２１２に面する（すなわち、第１のサブリフレクタ２１２の前面に配置される）。そして、テレメトリ，トラッキングおよびコマンド用入力／出力ポート２３１及びテレメトリ，トラッキングおよびコマンド用フィード孔２３２はそれぞれ、外側導体２３の第１の端部及び第２の端部に位置する。
【００４４】
好都合に、外側導体２３は、管形状（又は円筒形状）を有し、テレメトリ，トラッキングおよびコマンド用フィード孔２３２は円形状の孔である。
【００４５】
中間導体２４は、内部中空の剛体構造であり、データダウンリンク用入力ポート２４１を通じて、データダウンリンク用アンテナ２２によって送信されるべきＫバンドのデータダウンリンク信号で内部にフィードされるように設計される。そして、中間導体２４は、以下のような下部分及び上部分を含む。
・下部分は、外側導体２３の内側でテレメトリ，トラッキングおよびコマンド用フィード孔２３２まで同軸上に延在し（少なくとも部分的に延在する）、外側導体２３から離隔される。この構成において、外側導体２３と中間導体２４の下部分との間に第１の空隙が存在する。
・上部分は、テレメトリ，トラッキングおよびコマンド用フィード孔２３２から第１のサブリフレクタ２１２の中心部分まで同軸上に、外向きに、且つ垂直に突出する。
・上部分は、第１のサブリフレクタ２１２の中心部分にしっかりと結合され／接続され、それによって第１のサブリフレクタ２１２を支持する。
・上部分は、第１のサブリフレクタ２１２に亘って第２の主リフレクタ２２１まで延在しており、データダウンリンク用フィード孔２４２で終端する。データダウンリンク用フィード孔２４２は、第２の主リフレクタ２２１に対して中心に位置しており、第２のサブリフレクタ２２２に面する（つまり、第２のサブリフレクタ２２２の前面に配置される）。
【００４６】
データダウンリンク用入力ポート２４１及びデータダウンリンク用フィード孔２４２はそれぞれ、中間導体２４の第１の端部及び第２の端部に位置する。
【００４７】
好都合には、中間導体２４はまた、管形状（又は円筒形状）を有し、データダウンリンク用フィード孔２４２は円形状の孔である。
【００４８】
内側導体２５は、剛体構造である。そして、内側導体２５は以下のような下部分及び上部分を含む。
・下部分は、中間導体２４の内側でデータダウンリンク用フィード孔２４２まで軸方向に延在しており、中間導体２４から離隔される。中間導体２４と内側導体２５の下部分との間に第２の空隙が存在する。
・上部分は、データダウンリンク用フィード孔２４２から第２のサブリフレクタ２２２の中心部分まで軸方向に、外向きに、且つ垂直に突出しており、第２のサブリフレクタ２２２の中心部分にしっかりと結合され／連結され、それによって第２のサブリフレクタ２２２を支持する。
【００４９】
好都合には、内側導体２５は、第２のサブリフレクタ２２２にしっかりと且つ電気的に結合され／接続された円筒形状の金属製の剛体構造であって、第２のサブリフレクタ２２２をしっかりと支持する円筒形状の金属製の剛体構造とされてもよい。
【００５０】
外側導体２３、中間導体２４の下部分、及び第１の空隙は、第１の同軸フィーダー（好ましくは、円形状の同軸フィーダー）を画定する（又は形成する）。この第１の同軸フィーダーは、以下の事項を可能にするように設計される。
・Ｘバンドにおけるテレメトリ，トラッキングおよびコマンド用のダウンリンク信号がテレメトリ，トラッキングおよびコマンド用入力／出力ポート２３１からテレメトリ，トラッキングおよびコマンド用フィード孔２３２へ伝播する。
・テレメトリ，トラッキングおよびコマンド用アンテナ２１によって受信されたＸバンドにおけるテレメトリ，トラッキングおよびコマンド用のアップリンク信号が、テレメトリ，トラッキングおよびコマンド用フィード孔２３２からテレメトリ，トラッキングおよびコマンド用入力／出力ポート２３１へ伝播する。
【００５１】
中間導体２４、内側導体２５の下部分、及び第２の空隙は、第２の同軸フィーダー（好ましくは、円形状の同軸導波管）を画定する（又は形成する）。この第２の同軸フィーダーは、Ｋバンドにおけるデータダウンリンク用信号がデータダウンリンク用入力ポート２４１からデータダウンリンク用フィード孔２４２へ伝播することを可能にするように設計される。
【００５２】
好ましくは、第２の同軸フィーダーは、２つの直交同軸モード（ｑｕａｄｒａｔｕｒｅ  ｃｏａｘｉａｌ  ｍｏｄｅｓ）でフィードされるように、２つの直交同軸モードの伝播を可能にするように、且つ２つの直交同軸モードで放射するように設計された円形状の同軸導波管である。より好ましくは、２つの直交同軸モードは、ＴＥｌｌｘ及び  ＴＥｌｌｙモードである。
【００５３】
従来の軸方向変位型楕円（ＡＤＥ）アンテナに対する第１の一体型アンテナシステム２の主な技術的利点は以下の通りである。
・下部二重リフレクタであるテレメトリ，トラッキングおよびコマンド用アンテナ２１の上部に対する、上部の二重リフレクタであるデータダウンリンク用アンテナ２２の同軸一体化である。この構成において、外側導体２３は、下部の二重リフレクタであるテレメトリ，トラッキングおよびコマンド用アンテナ２１に同軸上にフィードするために使用される。中間導体２４は第１のサブリフレクタ２１２をしっかりと支持するように使用され（それ故に、レードーム又は支柱の必要性がない）、且つ、上部の二重リフレクタであるデータダウンリンク用アンテナ２２に同軸上にフィードするように使用される。内側導体２５は第２のサブリフレクタ２２２をしっかりと支持するように使用される（それ故に、同様に、レードーム又は支柱の必要性がない）。
・第１のサブリフレクタ２１２及び第２のサブリフレクタ２２２はそれぞれ、中間導体２４及び内側導体２５との電気的な接続に起因して接地される。それによって、任意の静電放電（ＥＳＤ）問題を避けることができる。
・第１の主リフレクタ２１１と第１のサブリフレクタ２１２との間の距離と、第２の主リフレクタ２２１と第２のサブリフレクタ２２２との間の距離とは、好ましくは、１波長より短く、２つの強力な電磁結合アセンブリ（幾何学的光学系に基づかない設計を提供する）に導く。
・好都合には、第１の主リフレクタ２１１の反射面及び第２の主リフレクタ２２１の反射面並びに第１のサブリフレクタ２１２の反射面及び第２のサブリフレクタ２２２の反射面は、変調された表面（波状の表面及び／又は形成された表面）であり、それ故に、軸方向変位型楕円（ＡＤＥ）設計による分析的な表面ではない。
・好ましくは、上部の二重リフレクタであるデータダウンリンク用アンテナ２２の直接的な同軸フィーディングは、差動モード（ＴＥＭまたはＴＭ０１／ＴＥ０１）ではなく、２つの直交同軸モード（すなわち、ＴＥｌｌｘおよびＴＥｌｌｙ）に基づいており、それによって、低い交差偏波レベルを得ることができ、且つアンテナの製造を容易にする。
【００５４】
図５及び図６は、第１の一体型アンテナシステム２に関連した放射パターンを示す。特に、図５は、７１９０〜７２５０ＭＨｚの周波数範囲のテレメトリ，トラッキングおよびコマンド用アップリンク及び８０２５〜８４００ＭＨｚの周波数範囲のテレメトリ，トラッキングおよびコマンド用ダウンリンクにおけるＸバンドでの下部の二重リフレクタであるテレメトリ，トラッキングおよびコマンド用アンテナ２１の共偏波（ｃｏ−ｐｏｌａｒｉｚａｔｉｏｎ）および交差偏波（ｃｒｏｓｓ−ｐｏｌａｒｉｚａｔｉｏｎ）の放射パターンを示すのに対して、図６は２５．５〜２７．０ＧＨｚの周波数範囲のデータダウンリンクにおけるＫバンドにおける上部の二重リフレクタであるデータダウンリンク用アンテナ２２の共偏波および交差偏波の放射パターンを含む。
【００５５】
図６に示されるように、データダウンリンク用アンテナ２２は、交差偏波識別度の高い数字を示し、それにより偏波の再利用を可能にする。
【００５６】
テレメトリ，トラッキングおよびコマンド用及びデータダウンリンク用の二重リフレクタアンテナ２１及び２２は同様の設計を有し、２０１１年４月１日〜１５日にローマで開催された第５回アンテナ及び伝播の欧州会議（ＥＵＣＡＰ）の議事録におけるＲ．Ｒａｖａｎｅｌｌｉ氏ら著の「ＸＢＡセンチネルアンテナのマルチオブジェクトの最適化」に記載された無給電同軸ホーンの新しく革新的な進化として考慮されることができる。
【００５７】
実際に、「ＸＢＡセンチネルアンテナのマルチオブジェクトの最適化」に記載された解決方法と異なって、テレメトリ，トラッキングおよびコマンド用及びデータダウンリンク用の二重リフレクタアンテナ２１及び２２は、以前に詳細に記載されたフィーディング及びサブリフレクタ支持同軸アーキテクチャによって特徴付けられる。
【００５８】
さらに、テレメトリ，トラッキングおよびコマンド用二重リフレクタアンテナ２１（特に、第１の主リフレクタ２１１及び第１のサブリフレクタ２１２）並びにデータダウンリンク用二重リフレクタアンテナ２２（特に、第２の主リフレクタ２２１及び第１のサブリフレクタ２２２）はそれぞれ、カバレッジに対する所望のゲインを提供するように数値的に輪郭形成される。この構成において、上部のデータダウンリンク用二重リフレクタアンテナ２２は高い交差偏波識別度を提供し、低い損失を有し、且つ第１の主リフレクタ２１１に向けた無視可能なバックカップリングによる下部のテレメトリ，トラッキングおよびコマンド用二重リフレクタアンテナ２１への妨害を提供しない。
【００５９】
代替的な実施形態によれば、レードームは、第２のサブリフレクタ２２２を支持するために、内側導体２５の代わりに好都合に使用されることができる。この場合において、データダウンリンク用アンテナ２２は、直交する２つのＴＥｌｌｘおよびＴＥｌｌｙの基本円形導波管モード（ｆｕｎｄａｍｅｎｔａｌ  ｃｉｒｃｕｌａｒ  ｗａｖｅｇｕｉｄｅ  ｍｏｄｅｓ）によって励起されるカットオフより上のより大きな円形導波管孔を通じてフィードされる。
【００６０】
図７及び図８は、本発明の前記第２の態様の第２の好ましい実施形態による、テレメトリ，トラッキングおよびコマンド及びデータダウンリンクの両方のための地球周回低軌道の人工衛星でオンボードで使用するための第２の一体型アンテナシステム（全体として参照符号３が付与される）を示す。特に、図７は、第２の一体型アンテナシステム３の概略的な断面図であるのに対して、図８は第２の一体型アンテナシステム３の上部アンテナの斜視図である。
【００６１】
詳細には、第２の一体型アンテナシステム３は、テレメトリ，トラッキングおよびコマンド用アンテナ３１と、データダウンリンク用アンテナ３２とを含み、データダウンリンク用アンテナ３２は、テレメトリ，トラッキングおよびコマンド用アンテナ３１の上部に配置されており、テレメトリ，トラッキングおよびコマンド用アンテナ３１と同軸上に位置合わせされる。
【００６２】
テレメトリ，トラッキングおよびコマンド用アンテナ３１及びデータダウンリンク用アンテナ３２は、それぞれＸバンド及びＫバンドで動作するように設計された二重リフレクタアンテナである。
【００６３】
特に、テレメトリ，トラッキングおよびコマンド用アンテナ３１は、第１の主リフレクタ３１１と第１のサブリフレクタ３１２とを備え、これらのリフレクタ３１１、３１２は、互いに同軸上に配置されており、且つ互いの前面に配置されており、使用時に、地球上の表面に対して事前に規定されたテレメトリ，トラッキングおよびコマンドのカバレッジを提供するように形成される（つまり、輪郭形成される）。
【００６４】
データダウンリンク用アンテナ３２は、第２の主リフレクタ３２１及び第２のサブリフレクタ３２２を備え、これらのリフレクタ３２１、３２２は、互いに同軸上に配置されており、且つ互いの前面に配置されており、使用時に地球上の表面に対して事前に規定されたデータダウンリンクのカバレッジを提供するように形成される（つまり、輪郭形成される）。
【００６５】
第１の主リフレクタ３１１及び第１のサブリフレクタ３１２並びに第２の主リフレクタ３２１及び第２のサブリフレクタ３２２は、互いに同軸上に配置されており、第２の主リフレクタ３２１は、第１のサブリフレクタ３１２の背面の上部に（第１のサブリフレクタ２１２の上方に）位置する。
【００６６】
好都合には、第１の主リフレクタ３１１及び第１のサブリフレクタ３１２並びに第２の主リフレクタ３２１及び第２のサブリフレクタ３２２は、それぞれ対称軸にその中心が配置され、それらの対称軸に関して回転対称を有する。
【００６７】
好都合には、（上部の）データダウンリンク用アンテナ３２のフットプリントは、第１のサブリフレクタ３１２の寸法を超えず、それによって、テレメトリ，トラッキングおよびコマンドのための広く、遮られない視野を有する（下部の）テレメトリ，トラッキングおよびコマンド用アンテナ３１が生じる。
【００６８】
好都合には、第１のサブリフレクタ３１２は、テレメトリ，トラッキングおよびコマンド用アンテナ３１及びデータダウンリンク用アンテナ３２と同軸上の皿状のインターフェース構造の底部分に形成された第１の反射面として形成されてもよい。また、第２の主リフレクタ３２１は、前記皿状のインターフェース構造の上部分に形成された第２の反射面として形成されてもよい。これらの構造において、前記上部分は、前記皿状のインターフェース構造の前記底部分に又は前記底部分の上に位置し、前記皿状のインターフェース構造の上部分及び底部分はそれぞれ、第２のサブリフレクタ３２２及び第１の主リフレクタ３１１に面する（第２のサブリフレクタ３２２及び第１の主リフレクタ３１１の前面に位置する）。
【００６９】
第２の一体型アンテナシステム３は、外側導体３３及び内側導体３４（特に、外側及び内側のマイクロ波導体３３、３４）をさらに備える。
【００７０】
外側導体３３は、内部が中空であり、テレメトリ，トラッキングおよびコマンド用入力／出力ポート３３１を通じてテレメトリ，トラッキングおよびコマンド用アンテナ３１によって送信されるべきＸバンドにおけるテレメトリ，トラッキングおよびコマンドのダウンリンク信号で内部にフィードされるように、テレメトリ，トラッキングおよびコマンド用フィード孔３３２で終端するように設計される。テレメトリ，トラッキングおよびコマンド用フィード孔３３２は、第１の主リフレクタ３１１に対して中心に位置し、第１の主リフレクタ３１２に面する（すなわち、第１のサブリフレクタ３１２の前面に配置される）。そして、テレメトリ，トラッキングおよびコマンド用入力／出力ポート３３１及びテレメトリ，トラッキングおよびコマンド用フィード孔３３２はそれぞれ、外側導体３３の第１の端部及び第２の端部に位置する。
【００７１】
好都合には、外側導体３３は、管形状（又は円筒形状）を有し、テレメトリ，トラッキングおよびコマンド用フィード孔３３２は円形状の孔である。
【００７２】
内側導体３４は、内部中空の剛体構造であり、データダウンリンク用入力ポート３４１を通じて、データダウンリンク用アンテナ３２によって送信されるべきＫバンドのデータダウンリンク信号で内部にフィードされるように設計される。そして、内側導体３４は、以下のような下部分及び上部分を含む。
・下部分は、外側導体３３の内側でテレメトリ，トラッキングおよびコマンド用フィード孔３３２まで同軸上に延在し（少なくとも部分的に延在する）、外側導体３３から離隔される。この構成において、外側導体３３と内側導体３４の下部分との間に空隙が存在する。
・上部分は、テレメトリ，トラッキングおよびコマンド用フィード孔３３２から第１のサブリフレクタ３１２の中心部分まで同軸上に、外向きに、且つ垂直に突出する。
・上部分は、第１のサブリフレクタ３１２の中心部分にしっかりと結合された／接続された段差移行部分３４２で終端し、それによって、第１のサブリフレクタ３１２を支持する。
【００７３】
好都合には、内側導体３４は、管形状（又は円筒形状）を有する。
【００７４】
第２の一体型アンテナシステム３は、以下のような下部分及び上部分を含む誘電体構造をさらに備える。
・下部分３５１は、内側導体３４の段差移行部分３４２から第１のサブリフレクタ３１２に亘って第２の主リフレクタ３２１まで軸方向に延在している。
・上部分３５２は、第２の主リフレクタ３２１から第２のサブリフレクタ３２２まで同軸上に且つ外向きに突出しており、第２のサブリフレクタ３２２にしっかりと結合され／接続され、それによって、第２のサブリフレクタ３２２を支持する。
【００７５】
好ましくは、誘電体構造の上部分３５２は、コーン形状であり、第２のサブリフレクタ３２２は、誘電体構造の上部分３５２の上部に配置され且つ誘電体構造の上部分３５２によって支持されたスパッタ型金属製サブリフレクタ（ｓｐｕｔｔｅｒｅｄ  ｍｅｔａｌｌｉｃ  ｓｕｂ−ｒｅｆｌｅｃｔｏｒ）（より好ましくは、スパッタ型アルミニウム製サブリフレクタ（ｓｐｕｔｔｅｒｅｄ  ａｌｕｍｉｎｉｕｍ  ｓｕｂ−ｒｅｆｌｅｃｔｏｒ））である。
【００７６】
外側導体３３、内側導体３４の下側部分、及びそれらの間の空隙は、同軸タイプの第１のフィーダー（好ましくは、円形状の同軸導波管）を画定する（又は形成する）。この同軸タイプの第１のフィーダーは、以下の事項を可能にするように設計される。
・Ｘバンドにおけるテレメトリ，トラッキングおよびコマンド用ダウンリンク信号がテレメトリ，トラッキングおよびコマンド用入力／出力ポート３３１からテレメトリ，トラッキングおよびコマンド用フィード孔３３２へ伝播する。
・テレメトリ，トラッキングおよびコマンド用アンテナ３１によって受信されたＸバンドにおけるテレメトリ，トラッキングおよびコマンド用アップリンク信号が、テレメトリ，トラッキングおよびコマンド用フィード孔３３２からテレメトリ，トラッキングおよびコマンド用入力／出力ポート３３１へ伝播する。
【００７７】
内側導体３４及び誘電体構造は、Ｋバンドにおけるデータダウンリンク用信号がデータダウンリンク用入力ポート３４１から第２のサブリフレクタ３２２まで伝播することを可能にするように設計された第２のフィーダーを画定する（又は形成する）。
【００７８】
好ましくは、内側導体３４は、直交する２つのＴＥｌｌｘおよびＴＥｌｌｙの基本円形導波管モード（ｔｗｏ  ＴＥｌｌｘ  ａｎｄ  ＴＥｌｌｙ  ｆｕｎｄａｍｅｎｔａｌ  ｃｉｒｃｕｌａｒ  ｗａｖｅｇｕｉｄｅ  ｍｏｄｅｓ）でフィードされるように、且つ直交する２つのＴＥｌｌｘおよびＴＥｌｌｙの基本円形導波管モードの伝搬を可能にするように設計された円形導波管である。
【００７９】
第２の一体型アンテナシステム３及び、上部のデータダウンリンク用サブリフレクタ２２２を支持するためのレードームを採用する第１の一体型アンテナシステム２の前述した代替的な実施形態による構成は、図２〜図４に図示された第１の一体型アンテナシステム２よりわずかに高い交差偏波識別性能に到達することを可能にするが、静電放電（ＥＳＤ）に対して保護される必要があり、且つ打ち上げ時に横方向の負荷を支えるのに機械的に適していない。
【００８０】
図９は、本発明の第２の態様の第３の実施形態による、テレメトリ，トラッキングおよびコマンド及びデータダウンリンクの両方のための地球周回低軌道の人工衛星でオンボードで使用するための第３の一体型アンテナシステム（全体として参照符号４が付与される）を示す。
【００８１】
特に、第３の一体型アンテナシステム４は、テレメトリ，トラッキングおよびコマンドのサービス及びデータダウンリンクのサービスのために割り当てられた現在の標準的なＩＴＵ周波数帯に準拠しており、本発明の第１の態様に従って設計されたＸバンドにおけるデータダウンリンク用二重リフレクタアンテナ４１と、Ｘバンドにおけるデータダウンリンク用二重リフレクタアンテナ４１の上部に配置され、且つＸバンドにおけるデータダウンリンク用二重リフレクタアンテナ４１と同軸上に位置合わせされたＳ／Ｘバンドにおけるテレメトリ，トラッキングおよびコマンド用らせんアンテナ４２（つまり、Ｓバンド又はＸバンドで動作するように設計されたらせんアンテナ）と、を含む。この構成において、Ｘバンドにおけるデータダウンリンク用二重リフレクタアンテナ４１の同軸フィーダーの内側導体は、内部が中空であり、無線周波数（ＲＦ）同軸ケーブルは、Ｓ／Ｘバンドにおけるテレメトリ，トラッキングおよびコマンド用らせんアンテナ４２にフィードするために、前記内側導体内に配置される。
【００８２】
好都合には、Ｘバンドにおけるデータダウンリンク用二重リフレクタアンテナ４１のサブリフレクタは、Ｘバンドにおけるデータダウンリンク用二重リフレクタアンテナ４１及びＳ／Ｘバンドにおけるテレメトリ，トラッキングおよびコマンド用らせんアンテナ４２と同軸上にある皿状のインターフェース構造の底部分に形成された第１の反射面として製造される。この構成において、Ｓ／Ｘバンドにおけるテレメトリ，トラッキングおよびコマンド用らせんアンテナ４２は、前記皿状のインターフェース構造４３の上部分に配置される（前記上部分は、皿状のインターフェース構造４３の底部分に位置し、又は底部分に亘って位置し、前記底部分、それ故に、前記サブリフレクタは、Ｘバンドにおけるデータダウンリンク用二重リフレクタアンテナ４１の主リフレクタ４１１に面している）。
【００８３】
また、好都合には、無線周波数（ＲＦ）同軸ケーブルは、Ｘバンドにおけるデータダウンリンク用二重リフレクタアンテナ４１の同軸フィーダーの内側導体内でそのサブリフレクタに亘って、皿状のインターフェース構造４３を通じて、Ｓ／Ｘバンドにおけるテレメトリ，トラッキングおよびコマンド用らせんアンテナ４２まで同軸上に延在しており、以下の事項を実施するようにＳ／Ｘバンドにおけるテレメトリ，トラッキングおよびコマンド用らせんアンテナ４２に接続される。
・送信されるべきＳ／Ｘバンドにおけるテレメトリ，トラッキングおよびコマンド用ダウンリンク信号で、前記Ｓ／Ｘバンドにおけるテレメトリ，トラッキングおよびコマンド用らせんアンテナ４２にフィードされる。
・Ｓ／Ｘバンドにおけるテレメトリ，トラッキングおよびコマンド用らせんアンテナ４２によって受信されたＳ／Ｘバンドにおけるテレメトリ，トラッキングおよびコマンド用アップリンク信号を受信する。
【００８４】
好ましくは、Ｘバンドにおけるデータダウンリンク用二重リフレクタアンテナ４１の主リフレクタ及びサブリフレクタは、高い交差偏波識別度においてイソフレックス放射パターンを提供するように輪郭形成される。
【００８５】
Ｓバンドにおけるテレメトリ，トラッキングおよびコマンドのために、ピッチアンテナはまた、らせんアンテナ４２の代わりに好都合に使用されることができる。その代わりに、Ｘバンドにおけるテレメトリ，トラッキングおよびコマンドのために、導波管窓型送信アンテナ（ｗａｖｅｇｕｉｄｅ  ａｐｅｒｔｕｒｅ  ｒａｄｉａｔｏｒ）又はピッチアンテナはまた、らせんアンテナ４２の代わりに好都合に使用されることができる。
【００８６】
本願の第２の態様の利点は、前述した説明からすぐに明らかである。
【００８７】
特に、地球周回低軌道の人工衛星のための現在周知のアンテナの解決方法のいずれも、妨害のないテレメトリ，トラッキングおよびコマンドのカバレッジ及びデータダウンリンクのカバレッジを有するテレメトリ，トラッキングおよびコマンド及びデータダウンリンクの組み合わされた機能を実施する一体型アンテナシステムを提供することができなかった点に注目すべき価値が存在する。
【００８８】
より詳細には、本発明の第２の態様による一体型のデータダウンリンク及びテレメトリ，トラッキングおよびコマンドのアンテナシステムの重要な利点は、一体化された２つのデータダウンリンク用アンテナとテレメトリ，トラッキングおよびコマンド用アンテナとの間の最小限の相互干渉、及び（半球に近い）データダウンリンクの機能及びテレメトリ，トラッキングおよびコマンドの機能のために必要とされる広いカバレッジ視野を考慮して、宇宙機／人工衛星におけるオンボードでの容易な単一の割り当て／設置である。実際に、本発明の第２の態様による一体型のデータダウンリンク及びテレメトリ，トラッキングおよびコマンドのアンテナシステムは、データダウンリンク機能及びテレメトリ，トラッキングおよびコマンド機能を単一のアンテナアセンブリに一体化させることによって、地球周回低軌道の人工衛星におけるオンボードでの設置問題及び干渉問題を最小化させることを可能にする。特に、本発明の第２の態様による一体型のデータダウンリンク及びテレメトリ，トラッキングおよびコマンドのアンテナシステムの実施は、データダウンリンクサービス及びテレメトリ，トラッキングおよびコマンドサービスのための利用可能な視野を大きく制限する大きなアンテナ／付属品を備える小さな人工衛星（又は小さな宇宙プラットフォーム）のオンボードにとって特に有利である。
【００８９】
本発明の第２の態様による一体型のデータダウンリンク及びテレメトリ，トラッキングおよびコマンドのアンテナシステムのさらなる利点は、データダウンリンク用アンテナの設計が高い偏波純度（ｐｏｌａｒｉｚａｔｉｏｎ  ｐｕｒｉｔｙ）によって特徴付けられ、地球への高いデータ送信レートによるスペクトルの周波数再利用を可能にすることである。特に、本発明の第２の態様による一体型のデータダウンリンク及びテレメトリ，トラッキングおよびコマンドのアンテナシステムは、データダウンリンク用アンテナの高い偏波識別能力により（具体的には、右円偏波（ｒｉｇｈｔ  ｈａｎｄ  ｃｉｒｃｕｌａｒ  ｐｏｌａｒｉｚａｔｉｏｎ，  ＲＨＣＰ）と左円偏波（ｌｅｆｔ  ｈａｎｄ  ｃｉｒｃｕｌａｒ  ｐｏｌａｒｉｚａｔｉｏｎ，  ＬＨＣＰ）との間で達成可能な高い偏波識別により）、割り当てられた無線スペクトルの偏波再利用を介したデータダウンリンクペイロードの送信能力を増加させる。
【００９０】
さらなる利点は、高い電力及びより高い周波数／より広いバンド移動（ｂａｎｄｓ  ｍｉｇｒａｔｉｏｎ）により技術適合性である。特に、本発明の第２の態様による一体型のデータダウンリンク及びテレメトリ，トラッキングおよびコマンドのアンテナシステムは、データダウンリンクサービス及びテレメトリ，トラッキングおよびコマンドサービスに割り当てられた現在及び未来のスペクトルと適合性があるとされる。
【００９１】
結論として、添付の特許請求の範囲に規定されているように、本発明の範囲内にある多くの改変および変形が本発明になされ得ることは明らかである。
【符号の説明】
【００９２】
１  二重リフレクタアンテナ
２  第１の一体型アンテナシステム
３  第２の一体型アンテナシステム
４  第３の一体型アンテナシステム
１１  主リフレクタ
１２  サブリフレクタ
１３  外側導体
１４  内側導体
１５  フィード孔
２１  テレメトリ，トラッキングおよびコマンド用二重リフレクタアンテナ
２２  データダウンリンク用アンテナ
２３  外側導体
２４  中間導体
２５  内側導体
３１  テレメトリ，トラッキングおよびコマンド用アンテナ
３２  データダウンリンク用アンテナ
３３  外側導体
３４  内側導体
４１  データダウンリンク用二重リフレクタアンテナ
４２  テレメトリ，トラッキングおよびコマンド用らせんアンテナ
４３  インターフェース構造
２１１  第１の主リフレクタ
２１２  第１のサブリフレクタ
２２１  第２の主リフレクタ
２２２  第２のサブリフレクタ
２３１  テレメトリ，トラッキングおよびコマンド用入力／出力ポート
２３２  テレメトリ，トラッキングおよびコマンド用フィード孔
２４１  データダウンリンク用入力ポート
２４２  データダウンリンク用フィード孔
３１１  第１の主リフレクタ
３１２  第１のサブリフレクタ
３２１  第２の主リフレクタ
３２２  第１のサブリフレクタ
３３１  テレメトリ，トラッキングおよびコマンド用入力／出力ポート
３３２  テレメトリ，トラッキングおよびコマンド用フィード孔
３４１  データダウンリンク用入力ポート
３４２  段差移行部分
３５１  下部分
３５２  上部分
４１１  主リフレクタ
【図１】
2018537922.tif 000003
【図２】
2018537922.tif 000004
【図３】
2018537922.tif 000005
【図４】
2018537922.tif 000006
【図５】
2018537922.tif 000007
【図６】
2018537922.tif 000008
【図７】
2018537922.tif 000009
【図８】
2018537922.tif 000010
【図９】
2018537922.tif 000011
【国際調査報告】
2018537922.tif 000012
2018537922.tif 000013